(57)【要約】【課題】  本発明は、多数の収納箱に対して商品や物品を収納して出荷や保管を行う場合にも、収納箱を取り違えることなく、印字された内容物の画像データと実際に収納された内容物とが一致した状態で収納箱に貼付することができる梱包内容確認用ラベルおよびその印字システムを提供することを課題とする。【解決手段】  撮像部１１によって梱包時に収納箱２に収納された内容物を撮像すると共に、リーダ部１２によって収納箱２のＲＦＩＤ２１に記録されている箱情報を読み取り、撮像部１１による撮像によって取り込まれた画像データを梱包内容確認用ラベル３に印字すると共に、リーダ部１２によって読み取られた箱情報を梱包内容確認用ラベル３のＲＦＩＤ３１に書き込んで記録させることにより、収納箱２と、梱包時の内容物の状態を示す画像データとの整合を取ることが可能になる。【選択図】        図１
2006292960.tif 000002
【特許請求の範囲】
【請求項１】
梱包された収納箱に貼付される梱包内容確認用ラベルであって、
梱包時に撮像された前記収納箱に収納された内容物の画像データが印字されていると共に、
前記収納箱を特定する箱情報が記録されていることを特徴とする梱包内容確認用ラベル。
【請求項２】
電波を用いて無線非接触で情報通信が可能なＲＦＩＤを具備し、
前記箱情報は、前記ＲＦＩＤに記録されていることを特徴とする請求項１記載の梱包内容確認用ラベル。
【請求項３】
前記箱情報は、可視的に印字されていることを特徴とする請求項１又は２記載の梱包内容確認用ラベル。
【請求項４】
梱包を行った梱包責任者名を含む、前記収納箱への前記内容物の梱包作業に関する梱包情報が印字されていることを特徴とする請求項１乃至３のいずれかに記載の梱包内容確認用ラベル。
【請求項５】
梱包された収納箱に貼付される梱包内容確認用ラベルを印字する印字システムであって、
前記収納箱に収納される内容物を撮像する撮像手段と、
前記収納箱に記録されている前記収納箱を特定する箱情報を読み取る箱情報読み取り手段と、
前記撮像手段による撮像によって得られた画像データを前記梱包内容確認用ラベルに印字する印字手段と、
前記箱情報読み取り手段により読み取られた前記箱情報を前記梱包内容確認用ラベルに記録する箱情報記録手段と、を具備することを特徴とする印字システム。
【請求項６】
前記収納箱および前記梱包内容確認用ラベルは、電波を用いて無線非接触で情報通信が可能なＲＦＩＤをそれぞれ具備し、
前記箱情報読み取り手段は、前記収納箱の前記ＲＦＩＤに記録された前記箱情報を読み取り、
前記箱情報記録手段は、前記梱包内容確認用ラベルの前記ＲＦＩＤに前記箱情報を書き込んで記録させることを特徴とする請求項５記載の印字システム。
【請求項７】
前記箱情報読み取り手段は、前記収納箱の表面に可視的に記録された前記箱情報を読み取り、
前記箱情報記録手段は、前記梱包内容確認用ラベルに前記箱情報を印字して記録させることを特徴とする請求項５又は６記載の印字システム。
【請求項８】
梱包を行った梱包責任者名を含む、前記収納箱への前記内容物の梱包作業に関する梱包情報を入力する入力手段を具備し、
前記印字手段は、前記入力手段から入力された前記梱包情報を前記梱包内容確認用ラベルに印字することを特徴とする請求項５乃至７のいずれかに記載の印字システム。
【請求項９】
前記撮像手段による前記内容物の撮像と、前記箱情報読み取り手段による前記箱情報の読み取りとは、連動して行われることを特徴とする請求項５乃至８のいずれかに記載の印字システム。
【発明の詳細な説明】
【技術分野】
【０００１】
本発明は、収納箱に梱包されている内容物を確認するための梱包内容確認用ラベルおよびその印字システムに関し、特に収納箱に梱包されている内容物を確認するためのラベルを視覚的に確認することができる梱包内容確認用ラベルおよびその印字システムに関する。
【背景技術】
【０００２】
メーカや問屋から小売店への商品（新品や中古品）の出荷や、貸倉庫に物品を預ける場合には、段ボール箱等の収納箱に商品や物品を収納して梱包した状態で商品の出荷や物品の保管が行われるのが一般的であり、梱包すなわち閉蓋される収納箱は、開梱されるまで収納された内容物を目視できない状態になってしまう。
【０００３】
従って、収納箱の開梱時に収納された内容物が破損していたり、内容物が欠落していたりした場合には、梱包時から内容物の破損や欠落が発生していたのか、収納箱の運送途中や保管中に内容物の破損や欠落が発生したものであるかを判定することができず、責任の所在を明確にすることができなくなってしまう。
【０００４】
このような問題は、梱包時に収納した内容物を写真撮影し、撮影した写真を収納箱の表面に取り付けておくと、収納箱に取り付けられた写真を見るだけで梱包時の内容物の状態を確認することができ、一定の解決を図ることができる（例えば、特許文献１参照）。
【０００５】
しかしながら、従来技術では、多数の収納箱に対して商品や物品を収納して出荷や保管を行う場合には、内容物の写真を収納箱に取り付ける際に、収納箱を取り違え、内容物の写真が、実際に収納された内容物と一致しない状態で収納箱に取り付けられてしまう恐れがあるという問題点があった。
【特許文献１】特開２００２−３６２６３３号公報
【発明の開示】
【発明が解決しようとする課題】
【０００６】
本発明は斯かる問題点に鑑みてなされたものであり、その目的とするところは、多数の収納箱に対して商品や物品を収納して出荷や保管を行う場合にも、収納箱を取り違えることなく、印字された内容物の画像データと実際に収納された内容物とが一致した状態で収納箱に貼付することができる梱包内容確認用ラベルおよびその印字システムを提供する点にある。
【課題を解決するための手段】
【０００７】
本発明は上記課題を解決すべく、以下に掲げる構成とした。
請求項１記載の発明の要旨は、梱包された収納箱に貼付される梱包内容確認用ラベルであって、梱包時に撮像された前記収納箱に収納された内容物の画像データが印字されていると共に、前記収納箱を特定する箱情報が記録されていることを特徴とする梱包内容確認用ラベルに存する。
また請求項２記載の発明の要旨は、電波を用いて無線非接触で情報通信が可能なＲＦＩＤを具備し、前記箱情報は、前記ＲＦＩＤに記録されていることを特徴とする請求項１記載の梱包内容確認用ラベルに存する。
また請求項３記載の発明の要旨は、前記箱情報は、可視的に印字されていることを特徴とする請求項１又は２記載の梱包内容確認用ラベルに存する。
また請求項４記載の発明の要旨は、梱包を行った梱包責任者名を含む、前記収納箱への前記内容物の梱包作業に関する梱包情報が印字されていることを特徴とする請求項１乃至３のいずれかに記載の梱包内容確認用ラベルに存する。
また請求項５記載の発明の要旨は、梱包された収納箱に貼付される梱包内容確認用ラベルを印字する印字システムであって、前記収納箱に収納される内容物を撮像する撮像手段と、前記収納箱に記録されている前記収納箱を特定する箱情報を読み取る箱情報読み取り手段と、前記撮像手段による撮像によって得られた画像データを前記梱包内容確認用ラベルに印字する印字手段と、前記箱情報読み取り手段により読み取られた前記箱情報を前記梱包内容確認用ラベルに記録する箱情報記録手段とを具備することを特徴とする印字システムに存する。
また請求項６記載の発明の要旨は、前記収納箱および前記梱包内容確認用ラベルは、電波を用いて無線非接触で情報通信が可能なＲＦＩＤをそれぞれ具備し、前記箱情報読み取り手段は、前記収納箱の前記ＲＦＩＤに記録された前記箱情報を読み取り、前記箱情報記録手段は、前記梱包内容確認用ラベルの前記ＲＦＩＤに前記箱情報を書き込んで記録させることを特徴とする請求項５記載の印字システムに存する。
また請求項７記載の発明の要旨は、前記箱情報読み取り手段は、前記収納箱の表面に可視的に記録された前記箱情報を読み取り、前記箱情報記録手段は、前記梱包内容確認用ラベルに前記箱情報を印字して記録させることを特徴とする請求項５又は６記載の印字システムに存する。
また請求項８記載の発明の要旨は、梱包を行った梱包責任者名を含む、前記収納箱への前記内容物の梱包作業に関する梱包情報を入力する入力手段を具備し、前記印字手段は、前記入力手段から入力された前記梱包情報を前記梱包内容確認用ラベルに印字することを特徴とする請求項５乃至７のいずれかに記載の印字システムに存する。
また請求項９記載の発明の要旨は、前記撮像手段による前記内容物の撮像と、前記箱情報読み取り手段による前記箱情報の読み取りとは、連動して行われることを特徴とする請求項５乃至８のいずれかに記載の印字システムに存する。
【発明の効果】
【０００８】
本発明の梱包内容確認用ラベルおよびその印字システムは、梱包時に撮像された収納箱に収納された内容物の画像データを印字すると共に、収納箱を特定する箱情報を記録するように構成することにより、収納箱と梱包時の内容物の状態を示す画像データとの整合を取ることが可能になり、多数の収納箱に対して商品や物品を収納して出荷や保管を行う場合にも、収納箱を取り違えることなく、印字された内容物の画像データと実際に収納された内容物とが一致した状態で収納箱に貼付することができるという効果を奏する。
【０００９】
また、本発明の梱包内容確認用ラベルおよびその印字システムは、梱包を行った梱包責任者名を含む、収納箱への内容物の梱包作業に関する梱包情報を印字するように構成することにより、最終的に梱包した者を特定することができ、責任の所在の追求を容易に行うことができるという効果を奏する。
【発明を実施するための最良の形態】
【００１０】
以下、本発明の実施の形態を図面に基づいて詳細に説明する。
【００１１】
（第１の実施の形態）
図１は、本発明に係る印字システムの実施の形態の構成を示すブロック図であり、図２は、図１に示す印字システムによって印字される梱包内容確認用ラベル例を示す図である。
【００１２】
本実施の形態の印字システム１は、梱包された段ボール箱等の収納箱２を開梱することなく内容物を確認するためや、開梱時に梱包時の内容物の状態が維持されているか否かを確認するための梱包内容確認用ラベル３を印字するためのシステムであり、対象となる収納箱２としては、問屋から小売店への商品の出荷用の箱や、貸倉庫に物品を預ける際に当該物品を収納する箱等が考えられる。
【００１３】
印字システム１は、図１を参照すると、撮像部１１と、リーダ部１２と、入力部１３と、印字制御部１４と、印字部１５と、ライタ部１６とで構成され、収納箱２には、ＲＦＩＤ（Radio Frequency Identification）２１が、梱包内容確認用ラベル３には、ＲＦＩＤ３１がそれぞれ内蔵もしくは貼付されている。なお、ＲＦＩＤとは、アンテナとＩＣチップとからなり、電波を用いて無線（非接触）で情報通信が可能なタグであり、非接触ＩＣタグ、無線ＩＣタグ、非接触ＩＣ等の他の呼称で表される場合もあるが、本発明では、代表してＲＦＩＤと表現する。
【００１４】
撮像部１１は、収納箱２を梱包する前に、すなわち図１に示すように収納箱２の蓋を閉じる前の収納された内容物が目視可能な状態で、収納箱２に収納された内容物の状態を撮像し、撮像した画像データを印字制御部１４に出力する。
【００１５】
リーダ部１２は、収納箱２から箱情報を読み取る箱情報読み取り手段として機能するもので、収納箱２のＲＦＩＤ２１に一定の周波数の呼出し電波を送信して、ＲＦＩＤ２１に記録されている箱情報を非接触で読み取り、読み取った箱情報を印字制御部１４に出力する。なお、箱情報とは、収納箱２を特定するための情報であり、予め収納箱２のＲＦＩＤ２１に記録されている。箱情報としては、例えば、収納箱２毎に割り当てられている固有の箱情報や、収納箱２の内容物が商品である場合には、その出荷番号等を用いることができる。
【００１６】
入力部１３は、収納箱２への内容物の梱包作業に関する梱包情報を入力する入力手段であり、入力された梱包情報を印字制御部１４に出力する。なお、入力部１３への梱包情報の入力は、キーボード、バーコードリーダ等を用いて梱包作業者が操作して行うようにしても良く、上位のコンピュータから行うようにしても良い。また、梱包情報としては、梱包場所、梱包会社名、梱包作業者名、梱包時間等が考えられる。
【００１７】
印字制御部１４は、入力部１３から入力された梱包情報をバーコードに変換し、変換したバーコードと、撮像部１１から入力された画像データと、入力部１３から入力された梱包情報からなる印字データを作成し、作成した印字データを印字部１５に出力すると共に、リーダ部１２から入力された箱情報をライタ部１６に出力する。
【００１８】
印字部１５は、印字制御部１４から入力された印字データに基づいて梱包内容確認用ラベル３を印字する熱転写方式やインクジェット方式等のプリンタであり、梱包内容確認用ラベル３は、図２を参照すると、撮像部１１から入力された画像データが印字される画像データ印字領域３２と、入力部１３から入力された梱包情報が文字列およびバーコードとして印字される梱包情報印字領域３３とからなる。
【００１９】
ライタ部１６は、印字部１５によって印字された梱包内容確認用ラベル３に箱情報を書き込む箱情報書き込み手段として機能するもので、梱包内容確認用ラベル３のＲＦＩＤ３１に一定の周波数の呼出し電波を送信して、ＲＦＩＤ３１に箱情報を非接触で書き込む機能を有する。
【００２０】
次に、印字システム１の動作について図３を参照して詳細に説明する。
図３は、図１に示す印字システムの動作を説明するためのフローチャートである。
【００２１】
まず、梱包作業者が収納箱２に商品等の内容物を収納し、収納箱２を閉蓋する前の状態で、撮像部１１によって、収納箱２に収納された内容物の状態を撮像する（ステップＡ１）。撮像部１１には、収納箱２に収納された内容物の状態が画像データとして取り込まれ、取り込まれた画像データは、印字制御部１４に出力される。
【００２２】
また、ステップＡ１の実行とほぼ同時に、リーダ部１２によって、収納箱２のＲＦＩＤ２１から箱情報を読み取り（ステップＡ２）、読み込まれた箱情報は、印字制御部１４に出力される。
【００２３】
次に、入力部１３から収納箱２への内容物の梱包作業に関する梱包情報を入力し、入力された梱包情報は、印字制御部１４に出力される（ステップＡ３）。
【００２４】
なお、ステップＡ１〜Ａ３の実行順番は、特に制限されるものではないが、ステップＡ１における内容物の撮像と、ステップＡ２における収納箱２のＲＦＩＤ２１からの箱情報の読み取りとは、ほぼ同時間に行うことが好ましく、例えば、図示しない実行キーによって内容物の撮像もしくは箱情報の読み取りのいずれかの実行を指示することによって、他方の箱情報の読み取りもしくは内容物の撮像の実行が連動して行われるように構成すると良い。内容物の撮像と箱情報の読み取りとをほぼ同時に行うことにより、撮像部１１で撮像した収納箱２の箱情報を他の収納箱２の箱情報と間違えることなく確実に読み取ることができる。
【００２５】
次に、印字制御部１４は、入力部１３から入力された梱包情報をバーコードに変換して、変換したバーコードと、撮像部１１から入力された画像データと、入力部１３から入力された梱包情報からなる印字データを作成し、作成した印字データを印字部１５に出力すると共に、リーダ部１２から入力された箱情報をライタ部１６に出力する。
【００２６】
印字部１５は、印字制御部１４から入力された印字データに基づいて梱包内容確認用ラベル３を印字し（ステップＡ４）、ライタ部１６は、印字制御部１４から入力された箱情報を、印字部１５によって印字された梱包内容確認用ラベル３のＲＦＩＤ３１に書き込む（ステップＡ５）。
【００２７】
これにより、表面に画像データと梱包情報とが印字され、ＲＦＩＤ３１に箱情報が記録された梱包内容確認用ラベル３が得られ、当該梱包内容確認用ラベル３を収納箱２に貼付することにより、梱包内容確認用ラベル３の表面に印字された画像データによって、梱包された収納箱２を開梱することなく内容物を確認することや、開梱時に梱包時の内容物の状態が維持されているか否かを確認することができ、さらに、梱包内容確認用ラベル３の表面に印字された梱包情報によって、梱包場所、梱包会社名、梱包作業者名、梱包時間等の梱包作業に関する情報を確認することができる。
【００２８】
また、ＲＦＩＤ３１に箱情報が記録されていることから、例えば、ＲＦＩＤ２１およびＲＦＩＤ３１から情報を読み取ることができるリーダ機能を備えたハンディターミナル等を用いて、梱包内容確認用ラベル３のＲＦＩＤ３１に記録されている箱情報と、収納箱２のＲＦＩＤ２１に記録されている箱情報とを照合することにより、梱包内容確認用ラベル３が対応する収納箱２に正しく貼付されているか否かを判別することができ、梱包内容確認用ラベル３の貼付間違いを防止することが可能になる。
【００２９】
次に、本発明の印字システムを用いた出荷システムの実施の形態について図４を参照して詳細に説明する。
図４は、図１に示す印字システムを用いた出荷システムの構成を示すブロック図である。
【００３０】
本実施の形態の出荷システム４は、例えば商品を収納箱２に梱包して発送を行う物流センタ等に設置されるものであり、コンベア５上を搬送される収納箱２に印字システム１で印字された梱包内容確認用ラベル３を貼付すると共に、収納箱２と当該収納箱２に貼付された梱包内容確認用ラベル３との整合性を出荷時にチェックする。
【００３１】
出荷システム４は、図４を参照すると、撮像部１１と、リーダ部１２と、画像データ記憶部４１と、リーダ部４２と、印字制御部１４と、出荷データベース４３と、印字部１５と、ライタ部１６と、貼付装置４４と、リーダ部４５とで構成されている。なお、上述した印字システム１と同一の構成については、同一の符号を付して説明を省略する。
【００３２】
画像データ記憶部４１は、ハードディスクやメモリ等の記憶手段であり、撮像部１１から印字制御部１４に向けて出力される画像データと、リーダ部１２から印字制御部１４に向けて出力される箱情報とをセットにして一時記憶する。
【００３３】
リーダ部４２は、収納箱２から箱情報を読み取る箱情報読み取り手段として機能するもので、貼付装置４４のコンベア５の上流側に配置され、収納箱２のＲＦＩＤ２１に一定の周波数の呼出し電波を送信して、ＲＦＩＤ２１に記録されている箱情報を非接触で読み取り、読み取った箱情報を貼付装置４４によって貼付が行われる収納箱２の箱情報として印字制御部１４に出力する。
【００３４】
出荷データベース４３は、商品の出荷を管理する出荷管理用コンピュータであり、配送する商品、商品の配送先等の商品出荷に係る出荷データと、出荷する商品の梱包した収納箱２を特定する箱情報と、内容物の梱包作業に関する梱包情報とが記憶されている。
【００３５】
貼付装置４４は、コンベア５上を搬送されてくる収納箱２に、印字部１５によって印字された梱包内容確認用ラベル３を貼付する装置である。
【００３６】
リーダ部４５は、収納箱２および梱包内容確認用ラベル３から箱情報を読み取る箱情報読み取り手段として機能するもので、貼付装置４４のコンベア５の下流側に配置され、収納箱２のＲＦＩＤ２１と、収納箱２に貼付された梱包内容確認用ラベル３のＲＦＩＤ３１とに一定の周波数の呼出し電波を送信して、ＲＦＩＤ２１およびＲＦＩＤ３１に記録されている箱情報をそれぞれ非接触で読み取り、読み取った箱情報を出荷データベース４３に出力する。
【００３７】
次に、出荷システムの動作について図５を参照して詳細に説明する。
図５は、図４に示す出荷システムの動作を説明するためのフローチャートである。
【００３８】
まず、梱包作業者が収納箱２に商品等の内容物を収納し、収納箱２を閉蓋する前の状態で、撮像部１１によって、収納箱２に収納された内容物の状態を撮像すると共に（ステップＢ１）、リーダ部１２によって、収納箱２のＲＦＩＤ２１から箱情報を読み取り（ステップＢ２）、撮像部１１に取り込まれた画像データと、リーダ部１２に読み込まれた箱情報とは、画像データ記憶部４１に出力され、画像データ記憶部４１は、撮像部１１に取り込まれた画像データと、リーダ部１２に読み込まれた箱情報とをセットにして記憶する（ステップＢ３）。
【００３９】
次に、梱包、すなわち閉蓋された収納箱２は、コンベア５に乗せられ、収納箱２に梱包内容確認用ラベル３を貼付する貼付装置４４に向けて搬送される。貼付装置４４のコンベア５の上流側に配置されたリーダ部４２は、コンベア５上を搬送される収納箱２のＲＦＩＤ２１に記録されている箱情報を非接触で読み取り（ステップＢ４）、読み取った箱情報を貼付装置４４によって貼付が行われる収納箱２の箱情報として印字制御部１４に出力する。
【００４０】
リーダ部４２から箱情報が入力されると、印字制御部１４は、リーダ部４２から入力された箱情報に対応する画像データを画像データ記憶部４１から読み出すと共に、入力された箱情報に対応する梱包情報を出荷データベース４３から読み出し、画像データ記憶部４１から読み出した画像データと、出荷データベース４３から読み出した梱包情報からなる印字データを作成し、作成した印字データを印字部１５に出力すると共に、リーダ部４２から入力された箱情報をライタ部１６に出力する。
【００４１】
印字部１５は、印字制御部１４から入力された印字データに基づいて梱包内容確認用ラベル３を印字し（ステップＢ５）、ライタ部１６は、印字制御部１４から入力された箱情報を、印字部１５によって印字された梱包内容確認用ラベル３のＲＦＩＤ３１に書き込む（ステップＢ６）。
【００４２】
表面に画像データと梱包情報とが印字され、ＲＦＩＤ３１に箱情報が記録された梱包内容確認用ラベル３は、貼付装置４４に供給され、貼付装置４４は、コンベア５上を搬送されてくる収納箱２に梱包内容確認用ラベル３を貼付する（ステップＢ７）。
【００４３】
次に、貼付装置４４のコンベア５の下流側に配置されたリーダ部４５は、収納箱２のＲＦＩＤ２１と、収納箱２に貼付された梱包内容確認用ラベル３のＲＦＩＤ３１とに記録されている箱情報をそれぞれ非接触で読み取り（ステップＢ８）、読み取った箱情報を出荷データベース４３に出力する。
【００４４】
出荷データベース４３は、収納箱２のＲＦＩＤ２１に記録されている箱情報と、収納箱２に貼付された梱包内容確認用ラベル３のＲＦＩＤ３１に記録されている箱情報とを照合することにより、両者の箱情報が一致するか否かを判別し（ステップＢ９）、両者の箱情報が一致する場合には、図示しないディスプレイ等の通知手段から出荷ＯＫの指示を通知し（ステップＢ１０）、両者の箱情報が一致しない場合には、図示しないディスプレイ等の通知手段から出荷ＮＧの指示を通知する（ステップＢ１１）。
【００４５】
以上説明したように、本実施の形態によれば、梱包時に撮像された収納箱２に収納された内容物の画像データを印字すると共に、収納箱２を特定する箱情報を記録するように構成することにより、収納箱２と、梱包時の内容物の状態を示す画像データとの整合を取ることが可能になり、多数の収納箱２に対して商品や物品を収納して出荷や保管を行う場合にも、収納箱２を取り違えることなく、印字された内容物の画像データと実際に収納された内容物とが一致した状態で収納箱２に貼付することができるという効果を奏する。
【００４６】
さらに、本実施の形態によれば、梱包を行った梱包責任者名を含む、収納箱２への内容物の梱包作業に関する梱包情報を印字するように構成することにより、最終的に梱包した者を特定することができ、責任の所在の追求を容易に行うことができるという効果を奏する。
【００４７】
なお、本実施の形態では、収納箱２を特定するための箱情報をＲＦＩＤ２１に記録しておくように構成したが、箱情報を収納箱２の表面に文字、数字、バーコード等の記号として可視的に記録するようにしても良く、このように収納箱２の表面に記録されている場合には、リーダ部１２、４５、４５として、ＯＣＲスキャナやバーコードを用いて収納箱２から箱情報を読み取るように構成すると良い。
【００４８】
また、本実施の形態では、箱情報を梱包内容確認用ラベル３のＲＦＩＤ３１に記録しておくように構成したが、箱情報を梱包内容確認用ラベル３の表面に文字、数字、バーコード等の記号として可視的に記録するようにしても良く、リーダ部４５として、ＯＣＲスキャナやバーコードを用いて梱包内容確認用ラベル３から箱情報を読み取るように構成すると良い。
【００４９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００５０】
【図１】本発明に係る印字システムの実施の形態の構成を示すブロック図である。
【図２】図１に示す印字システムによって印字される梱包内容確認用ラベル例を示す図である。
【図３】図１に示す印字システムの動作を説明するためのフローチャートである。
【図４】図１に示す印字システムを用いた出荷システムの構成を示すブロック図である。
【図５】図４に示す出荷システムの動作を説明するためのフローチャートである。
【符号の説明】
【００５１】
１  印字システム
２  収納箱
３  梱包内容確認用ラベル
４  出荷システム
５  コンベア
１１  撮像部
１２  リーダ部
１３  入力部
１４  印字制御部
１５  印字部
１６  ライタ部
２１  ＲＦＩＤ
３１  ＲＦＩＤ
３２  画像データ印字領域
３３  梱包情報印字領域
４１  画像データ記憶部
４２  リーダ部
４３  出荷データベース
４４  貼付装置
４５  リーダ部
【図１】
2006292960.tif 000003
【図２】
2006292960.tif 000004
【図３】
2006292960.tif 000005
【図４】
2006292960.tif 000006
【図５】
2006292960.tif 000007